(57)【要約】【課題】使用者が、立体的な音場を体感できる骨伝導ヘッドホン装置を提供する。【解決手段】骨伝導ヘッドホン装置１００は、音情報を機械的振動に変換する骨伝導スピーカを４つ有している。骨伝導スピーカ１、２は、使用者の頭部Ｆの両耳近傍に当接される。骨伝導スピーカ３は、使用者の前頭部に当接される。骨伝導スピーカ４は、使用者の後頭部に当接される。この結果、使用者は、左右方向だけでなく前後方向からの「音」も認識することができるようになるため、より自然な状態で、立体的な音場を体感することができるようになる。【選択図】図１
2009049844.tif 000002
【特許請求の範囲】
【請求項１】
音情報を機械的振動に変換する骨伝導スピーカを４つ以上備える骨伝導ヘッドホン装置であって、
使用者の頭部の両耳近傍に当接する第１、第２の骨伝導スピーカと、
前記使用者の前頭部に当接する第３の骨伝導スピーカと、
前記使用者の後頭部に当接する第４の骨伝導スピーカと、を備える骨伝導ヘッドホン装置。
【請求項２】
前記第３の骨伝導スピーカは、前記第１、第２の骨伝導スピーカよりも高い位置に配置され、前記第４の骨伝導スピーカは、前記第１、第２の骨伝導スピーカよりも低い位置に配置されることを特徴とする請求項１に記載の骨伝導ヘッドホン装置。
【請求項３】
４チャンネルの音響信号各々を、対応する前記骨伝導スピーカに出力する信号処理装置をさらに備え、
前記信号処理装置は、
前記４チャンネルの音響信号のうち、前記第２の骨伝導スピーカに入力される第２の音響信号と逆位相で、かつ、前記使用者の頭部における振動の減衰特性を考慮した信号を用いて、前記４チャンネルの音響信号のうち、前記第１の骨伝導スピーカに入力される第１の音響信号を補正する第１の補正部と、前記第１の音響信号と逆位相で、かつ、前記使用者の頭部における振動の減衰特性を考慮した信号を用いて、前記第２の音響信号を補正する第２の補正部と、を有することを特徴とする請求項１又は２に記載の骨伝導ヘッドホン装置。
【請求項４】
前記信号処理装置は、
前記４チャンネルの音響信号のうち、前記第３、第４の骨伝導スピーカに入力される第３、第４の音響信号における所定の周波数よりも低い周波数成分を強調する低域強調部をさらに有することを特徴とする請求項３に記載の骨伝導ヘッドホン装置。
【請求項５】
前記信号処理装置は、
前記第１、第２の音響信号の周波数位相特性を補正することにより、前記第３、第４の音響信号を生成する周波数位相補正部をさらに有することを特徴とする請求項３又は４に記載の骨伝導ヘッドホン装置。
【発明の詳細な説明】
【技術分野】
【０００１】
本発明は、音声や音楽等の音情報を機械的振動に変換する骨伝導スピーカを複数備える骨伝導ヘッドホン装置に関する。
【背景技術】
【０００２】
人間は、両耳に直接入ってくる「音」だけでなく、体内を伝達される振動によっても間接的に「音」を感知している。このような性質を利用して使用者に「音」を伝える装置の１つに、骨伝導スピーカがある。骨伝導スピーカは、音情報を機械的振動に変換して、その振動を人体頭部に伝える変換装置である。この機械的振動は、頭蓋骨を介して聴覚器官（蝸牛）に伝えられ、「音」として感知されるようになる。
【０００３】
このような骨伝導スピーカを備える骨伝導ヘッドホン装置が知られている。骨伝導ヘッドホン装置では、一対の骨伝導スピーカが、使用者の両耳近辺に当接するように配置される。通常、左右の骨伝導スピーカには、２チャンネルのステレオ信号が入力される。これにより、使用者は、ステレオ音場を体感することができるようになる。
【０００４】
また、骨伝導ヘッドホン装置を用いて、ステレオ音場でなく、さらに立体的な音場を体感できるようにしたいという要望がある。そこで、左右の骨伝導スピーカを用いて、立体的な音場を構築する工夫が従来より試みられている。
【０００５】
例えば、２チャンネルのステレオ信号から、擬似的な多チャンネルの音響信号を生成し、その音響信号を左右の骨伝導スピーカに出力する方法が行われている。疑似的な多チャンネルの音響信号は、例えば、実際の立体的な音場に応じて２チャンネルのステレオ信号の位相特性や周波数特性を変化させた信号を、本来の２チャンネルの音響信号に加えることにより生成される（例えば、特許文献１、２参照）。
【特許文献１】国際公開第９５／２０８６６号パンフレット
【特許文献２】特開２００１−２１８２９３号公報
【発明の開示】
【発明が解決しようとする課題】
【０００６】
しかしながら、人間による音の認識メカニズムを考慮すると、両耳付近に装着される左右の骨伝導スピーカだけで、音源の前後の方位を使用者に認識させるのは困難であり、周波数位相特性の補正などの信号処理による音響信号の擬似的な多チャンネル化には限界があることが知られている。また、擬似的な多チャンネルの音響信号を、左右の骨伝導スピーカのみを用いて伝達しようとしても、かえって音が不自然に感じられるケースも少なくない。
【０００７】
本発明は、このような課題に鑑みてなされたものであり、使用者が、より自然に、立体的な音場を体感することができる骨伝導ヘッドホン装置を提供することを目的とする。
【課題を解決するための手段】
【０００８】
本発明に係る骨伝導ヘッドホン装置は、音情報を機械的振動に変換する骨伝導スピーカを４つ以上備える骨伝導ヘッドホン装置であって、使用者の頭部の両耳近傍に当接する第１、第２の骨伝導スピーカと、前記使用者の前頭部に当接する第３の骨伝導スピーカと、前記使用者の後頭部に当接する第４の骨伝導スピーカと、を備える。
【０００９】
すなわち、本発明の骨伝導ヘッドホン装置は、少なくとも４つの骨伝導スピーカを備えている。４つの骨伝導スピーカのうち、２つの骨伝導スピーカは、使用者の両耳近傍に１個ずつ当接するように配置され、残りの２つの骨伝導スピーカは、使用者の後頭部及び前頭部に１個ずつ当接するように配置される。このようにすれば、使用者は、左右の音響信号に相当する機械的振動を、頭蓋骨を介して聴覚器官で受信するとともに、音情報に相当する機械的振動を、前後方向からも頭蓋骨を介して聴覚器官で受信することが可能となる。この結果、使用者は、左右方向だけでなく前後方向からの「音」も認識することができるようになるため、より自然な状態で、立体的な音場を体感することができるようになる。
【００１０】
さらに、前記第３の骨伝導スピーカは、前記第１、第２の骨伝導スピーカよりも高い位置に配置され、前記第４の骨伝導スピーカは、前記第１、第２の骨伝導スピーカよりも低い位置に配置されるようにすることができる。このようにすれば、第３、第４の骨伝導スピーカから発せられた機械的振動を、上下方向から頭蓋骨を介して聴覚器官で受信することが可能となる。この結果、使用者は、上下方向からの「音」をも知覚することができるようになるため、より自然な状態で、立体的な音場を体感することができるようになる。
【００１１】
さらに、４チャンネルの音響信号各々を、対応する前記骨伝導スピーカに出力する信号処理装置をさらに備え、前記信号処理装置は、前記４チャンネルの音響信号のうち、前記第２の骨伝導スピーカに入力される第２の音響信号と逆位相で、かつ、前記使用者の頭部における振動の減衰特性を考慮した信号を用いて、前記４チャンネルの音響信号のうち、前記第１の骨伝導スピーカに入力される第１の音響信号を補正する第１の補正部と、前記第１の音響信号と逆位相で、かつ、前記使用者の頭部における振動の減衰特性を考慮した信号を用いて、前記第２の音響信号を補正する第２の補正部と、を有することとすることができる。これにより、左右一方の骨伝導スピーカから発せられた振動が、逆側の耳の聴覚器官に伝達されることによって発生する、使用者の頭部内での左右の音響信号の混信を防止することができるようになるため、使用者の音場感覚の低下を防止することができるようになる。
【００１２】
さらに、前記信号処理装置は、前記４チャンネルの音響信号のうち、第３、第４の音響信号における所定の周波数よりも低い周波数成分を強調する低域強調部をさらに有することとすることができる。骨伝導スピーカから発せられた振動は、低周波領域において人間の頭部における伝達特性が良好であるため、第３、第４の音響信号における低周波成分を強調すれば、第３、第４の骨伝導スピーカから発せられる振動による「音」を聴覚器官で認識しやすくなり、使用者が立体的な音場を体感しやすくなる。
【００１３】
さらに、前記信号処理装置は、前記第１、第２の音響信号の周波数位相特性を補正することにより、前記第３、第４の音響信号を生成する周波数位相補正部をさらに有することとすることができる。このようにすれば、本来の２チャンネルのステレオ信号である第１、第２の音響信号と、そのステレオ信号の周波数位相特性を補正することにより生成された第３、第４の音響信号とが、それぞれ対応する両耳、前頭部、後頭部に当接する第１〜第４の骨伝導スピーカに出力されるようになり、各音響信号に相当する振動を四方から使用者の聴覚器官に伝達することができるようになる。この結果、２チャンネルのステレオ信号を元にして、使用者が立体的な音場を体感することができるようになる。
【発明の効果】
【００１４】
本発明に係る骨伝導ヘッドホン装置によれば、使用者が、立体的な音場をより自然な状態で体感することができる。
【発明を実施するための最良の形態】
【００１５】
以下、本発明に係る骨伝導ヘッドホン装置の実施の形態について、図面を参照しながら詳細に説明する。この骨伝導ヘッドホン装置は、音情報を機械的振動に変換する骨伝導スピーカを４つ有する。より具体的には、本発明の実施の形態に係る骨伝導ヘッドホン装置は、使用者の両耳近傍だけでなく、前頭部、後頭部にも骨伝導スピーカを配置し、実際の音場に近い立体的な音場を使用者に体感させるものである。
【００１６】
図１（Ａ）には、本実施の形態に係る骨伝導ヘッドホン装置１００の正面図が示され、図１（Ｂ）には、本実施の形態に係る骨伝導ヘッドホン装置１００の側面図が示され、図１（Ｃ）には、本実施の形態に係る骨伝導ヘッドホン装置１００の上面図が示されている。図１（Ａ）〜図１（Ｃ）では、骨伝導ヘッドホン装置１００は、使用者の頭部Ｆに装着された状態が示されている。
【００１７】
図１（Ａ）、図１（Ｂ）、図１（Ｃ）に総合して示されるように、骨伝導ヘッドホン装置１００は、第１の骨伝導スピーカとしての骨伝導スピーカ１と、第２の骨伝導スピーカとしての骨伝導スピーカ２と、第３の骨伝導スピーカとしての骨伝導スピーカ３と、第４の骨伝導スピーカとしての骨伝導スピーカ４と、スピーカ支持バンド５とを含んで構成されている。この骨伝導スピーカ１〜４と、スピーカ支持バンド５とで、使用者の頭部Ｆに装着される構造体が形成される。また、骨伝導ヘッドホン装置１００は、このほかに、図２に示される信号処理装置５０も備えているが、信号処理装置５０は、図１（Ａ）、図１（Ｂ）、図１（Ｃ）では図示されていない。
【００１８】
骨伝導スピーカ１は、使用者の頭部Ｆの右耳周辺に当接するように配置される。骨伝導スピーカ１内の当接部付近には、振動子が設けられている。骨伝導スピーカ１は、この振動子を用いて、音情報を含む電気信号（音響信号）を機械的な振動に変換する。この振動は、主として右耳の聴覚器官に伝えられ、使用者の右耳から得られた「音」として認識されるようになる。
【００１９】
骨伝導スピーカ２は、使用者の頭部Ｆの左耳周辺に当接するように配置される。骨伝導スピーカ２内の当接部付近には、振動子が設けられている。骨伝導スピーカ２は、この振動子を用いて、音情報を含む電気信号（音響信号）を機械的な振動に変換する。この振動は、主として左耳の聴覚器官に伝えられ、使用者の左耳から得られた「音」として認識されるようになる。
【００２０】
これら骨伝導スピーカ１に入力される音響信号と、骨伝導スピーカ２に入力される音響信号とは、位相特性や周波数特性などに違いを持たせることができるようになっており、これらの信号は２チャンネルのステレオ信号となっている。この両音響信号の特性の違いにより、使用者は、右側の音場と左側の音場と区別して認識できるようになる。
【００２１】
骨伝導スピーカ３は、使用者の前頭部に当接するように配置される。骨伝導スピーカ３内の当接部付近には、振動子が設けられている。骨伝導スピーカ３は、この振動子を用いて、音情報を含む電気信号（音響信号）を機械的な振動に変換する。この振動は、使用者の頭蓋骨を介して左右の耳の聴覚器官に伝えられ、使用者の前方から発せられた「音」として認識される。
【００２２】
骨伝導スピーカ４は、使用者の後頭部に当接するように配置される。骨伝導スピーカ４内の当接部付近には、振動子が設けられている。骨伝導スピーカ４は、この振動子を用いて、音情報を含む電気信号（音響信号）を機械的な振動に変換する。この振動は、使用者の頭蓋骨を介して左右の耳の聴覚器官に伝えられ、使用者の後方から発せられた「音」として認識される。
【００２３】
後述するように、これら骨伝導スピーカ３に入力される音響信号と、骨伝導スピーカ４に入力される音響信号とは、それらについて位相特性や周波数特性などに違いを持たせることができるようになっている。この両音響信号の特性の違いにより、使用者は、前側の音場と後側の音場とを区別して認識することができるようになる。
【００２４】
また、図１（Ｂ）に示されるように、骨伝導スピーカ３は、骨伝導スピーカ１、２よりも高い位置に配置され、骨伝導スピーカ４は、骨伝導スピーカ１、２よりも低い位置に配置されている。すなわち、本実施の形態では、骨伝導スピーカ３と、骨伝導スピーカ４との上下の配置に差異を持たせている。これにより、使用者は、骨伝導スピーカ３に入力される音響信号と、骨伝導スピーカ４に入力される音響信号との違いにより、使用者は、上側の音場と下側の音場とを区別して認識することができるようになる。
【００２５】
なお、骨伝導スピーカ１〜４において、音響信号を機械的振動に変換する振動子としては、例えば圧電素子（電歪素子）などが用いられる。
【００２６】
スピーカ支持バンド５は、図１（Ｃ）に示されるように、上面から見て、十字状に形成されており、その十字に延びる４つの先端部にそれぞれ、骨伝導スピーカ１〜４が連結されている。スピーカ支持バンド５は、弾力のある素材で構成されており、湾曲する方向に付勢されているため、骨伝導ヘッドホン装置１００が使用者の頭部Ｆに装着されると、骨伝導スピーカ１〜４が、使用者の頭部Ｆに当接するようになり、良好な振動伝達特性が得られるようになる。
【００２７】
図２には、信号処理装置５０の構成が示されている。図２に示されるように、信号処理装置５０は、骨伝導スピーカ１〜４と接続されている。信号処理装置５０は、上位装置から２チャンネルのステレオ信号を入力し、このステレオ信号に基づいて、骨伝導スピーカ１〜４への音響信号を生成して出力する。なお、以下では、入力される２チャンネルのステレオ信号のうち、右耳へ入力されるべき音情報を含む信号を右ステレオ信号とし、左耳へ入力されるべき音情報を含む信号を左ステレオ信号とする。
【００２８】
図２に示されるように、信号処理装置５０は、頭部伝達特性補正回路６、７と、加算器８、９と、周波数／位相補正回路１０、１１と、低域強調回路１２、１３とを備えている。本実施の形態では、頭部伝達特性補正回路６及び加算器８が第１の補正部に対応し、頭部伝達特性補正回路７及び加算器９が第２の補正部に対応する。また、周波数／位相補正回路１０、１１が周波数位相補正部に対応し、低域強調回路１２、１３が低域強調部に対応する。
【００２９】
上述したように、左ステレオ信号に相当する振動は主として左耳に伝達され、右ステレオ信号に相当する振動は主として右耳に伝達されるようになるが、それらの振動は、頭蓋骨を経由して、それぞれ逆側の耳にも伝達されるようになる。これにより、両耳において、伝達される「音」が混信し、この混信が、使用者のステレオ音場感覚を低下させてしまう。頭部伝達特性補正回路６、７と、加算器８、９とは、このようなステレオ音場感覚の低下を防止するために設けられている。
【００３０】
頭部伝達特性補正回路６は、左ステレオ信号を入力する。頭部伝達特性補正回路６は、この左ステレオ信号が、骨伝導スピーカ２より頭蓋骨を経由して右耳の聴覚器官に伝達される際の伝達特性のモデルを有している。頭部伝達特性補正回路６は、この伝達特性のモデルに左ステレオ信号を入力して、骨伝導スピーカ２より頭蓋骨を経由して右耳の聴覚器官に伝達される振動の減衰成分と同等の成分を有する信号を出力する。加算器８は、右ステレオ信号と、頭部伝達特性補正回路６から出力された信号の逆位相の信号（位相が１８０度ずれた信号）とを加算して出力する。
【００３１】
加算器８から出力された信号は、最終的に、骨伝導スピーカ１に出力される。骨伝導スピーカ１は、この信号を機械的振動に変換する。この振動は、主として右耳の聴覚器官に伝えられるが、さらに、使用者の頭蓋骨を経由して、左耳の聴覚器官にも伝達される。
【００３２】
一方、頭部伝達特性補正回路７は、右ステレオ信号を入力する。頭部伝達特性補正回路７は、この右ステレオ信号が、骨伝導スピーカ１より頭蓋骨を経由して左耳の聴覚器官に伝達される際の伝達特性のモデルを有している。頭部伝達特性補正回路７は、この伝達特性のモデルに右ステレオ信号を入力して、骨伝導スピーカ１より頭蓋骨を経由して左耳の聴覚器官に伝達される振動の減衰成分と同等の成分を有する信号を出力する。加算器９は、左ステレオ信号と、頭部伝達特性補正回路７から出力された信号の逆位相の信号とを加算して出力する。
【００３３】
加算器９から出力された信号は、最終的に、骨伝導スピーカ２に出力される。骨伝導スピーカ２は、この信号を機械的振動に変換する。この振動は、使用者の頭部Ｆ内の頭蓋骨を経由して、主として左耳の聴覚器官に伝えられるが、さらに、使用者の頭蓋骨を経由して、右耳の聴覚器官にも伝達される。
【００３４】
上述のように、骨伝導スピーカ１から出力される振動には、右ステレオ信号に相当する振動成分（これを「振動成分Ａ」とする）のほか、左ステレオ信号に相当する振動が頭蓋骨を経由して右耳の聴覚器官に到達したときの減衰した振動成分（これを「振動成分Ｂ」とする）が含まれている。一方、骨伝導スピーカ２から出力される振動には、左ステレオ信号に相当する振動成分（これを「振動成分Ｃ」とする）が含まれており、この振動は、左耳の聴覚器官だけでなく、減衰しつつ頭蓋骨を経由して右耳の聴覚器官にも到達する。振動成分Ｂと振動成分Ｃとは、ほぼ同一の成分で、かつ、位相が１８０度ずれているので、互いに打ち消し合うようになり、実際に、右耳の聴覚器官で「音」として認識されるのは、振動成分Ａに相当する右ステレオ信号による「音」だけとなる。
【００３５】
同様に、左耳についても、骨伝導スピーカ２から発せられる振動には、左ステレオ信号に相当する振動成分だけでなく、骨伝導スピーカ１から右ステレオ信号に相当する振動が頭蓋骨を経由して左耳の聴覚器官に到達したときの振動成分を打ち消すための振動成分も含まれている。したがって、この振動成分が、実際に、骨伝導スピーカ１から頭蓋骨を経由して左耳に伝達される振動成分を打ち消すようになり、実際に、左耳の聴覚器官で「音」として認識されるのは、左ステレオ信号による「音」だけとなる。以上の構成により、良好なステレオ音場が形成される。
【００３６】
周波数／位相補正回路１０は、２チャンネルのステレオ信号（右ステレオ信号、左ステレオ信号）を入力して、それらの周波数特性及び位相特性を補正することにより、使用者前方の音場を形成する前側の音響信号を生成して出力する。周波数／位相補正回路１１は、２チャンネルのステレオ信号（右ステレオ信号、左ステレオ信号）を入力して、それらの周波数特性及び位相特性を補正することにより、使用者後方の音場を形成する後側の音響信号を生成して出力する。これら周波数／位相補正回路１０、１１は、例えば、特開２００１−２１９２９３号公報や国際公開第９５／２０８６６号パンフレットなどに開示された擬似的な多チャンネルの音響信号の発生技術を適用することで実現することができるので、詳細な説明を省略する。
【００３７】
なお、骨伝導スピーカ３は、使用者の両耳よりも上側に位置している。周波数／位相補正回路１０は、２チャンネルのステレオ信号（右ステレオ信号、左ステレオ信号）に基づいて、前側の音情報に相当する成分に、上側の音情報の相当する成分を加算した音響信号を生成して出力することができる。また、骨伝導スピーカ４は、使用者の両耳よりも下側に位置している。周波数／位相補正回路１１は、２チャンネルのステレオ信号（右ステレオ信号、左ステレオ信号）に基づいて、後側の音情報の成分に、下側の音情報の成分を加算した音響信号を生成して出力することができる。このようにすれば、骨伝導スピーカ３、４を用いて、上下方向の音源の方位をも、使用者に認識させることができるようになる。
【００３８】
低域強調回路１２は、周波数／位相補正回路１０の後段に接続されており、周波数／位相補正回路１０から出力された前側の音響信号に含まれる所定の周波数（例えば１００Ｈｚ）以下の低周波成分を強調する。また、低域強調回路１３は、周波数／位相補正回路１１の後段に接続されており、周波数／位相補正回路１１から出力された後側の音響信号に含まれる所定の周波数（例えば１００Ｈｚ）以下の低周波成分を強調する。
【００３９】
一般に、骨伝導では、振動の伝わり具合で、音源の方位を認識することが可能であるが、この効果は、低周波領域において顕著である。そこで、信号処理回路５０では、低域強調回路１２、１３によって低周波領域の成分を強調し、低周波領域の成分が強調された振動を頭部の前後に配置した骨伝導スピーカ３、４から発生させている。このように、聴覚器官までの距離が比較的長い骨伝導スピーカ３，４に入力される音響信号の低周波成分を強調しておけば、使用者は、前後の音場をより体感し易くなるようになる。
【００４０】
以上詳細に説明したように、本実施の形態に係る骨伝導ヘッドホン装置１００は、４つの骨伝導スピーカ１〜４を備えている。４つの骨伝導スピーカ１〜４のうち、２つの骨伝導スピーカ１、２は、使用者の両耳近傍に当接するように配置され、残りの２つの骨伝導スピーカ３、４は、使用者の後頭部及び前頭部に当接するように配置される。このようにすれば、使用者は、音情報に相当する機械的振動を、左右方向だけでなく、前後方向からも頭蓋骨を介して聴覚器官で受信することが可能となる。この結果、使用者は、より自然な状態で、立体的な音場を体感することができるようになる。
【００４１】
さらに、本実施の形態によれば、骨伝導スピーカ３は、骨伝導スピーカ１、２よりも高い位置に配置され、骨伝導スピーカ４は、骨伝導スピーカ１、２よりも低い位置に配置されている。このようにすれば、骨伝導スピーカ３、４から発せられた機械的振動を、上下方向から頭蓋骨を介して聴覚器官で受信することが可能となる。この結果、使用者は、上下方向からの「音」をも認識することができるようになるため、より自然な状態で、立体的な音場を体感することができるようになる。
【００４２】
もっとも、上下方向に関して音場を構築する必要がないような場合には、骨伝導スピーカ３と骨伝導スピーカ４とを、同じ高さに配置するようにしてもよい。
【００４３】
さらに、信号処理装置５０は、左側の音響信号と逆位相で、かつ、使用者の頭部Ｆにおける振動の減衰特性を考慮した信号を用いて右側の音響信号を補正する頭部伝達特性補正回路６と、右側の音響信号と逆位相で、かつ、使用者の頭部Ｆにおける振動の減衰特性を考慮した信号を用いて左側の音響信号を補正する頭部伝達特性補正回路７とを有している。これにより、左右一方の骨伝導スピーカ１、２から発せられた振動が、逆側の耳の聴覚器官に伝達されることによって発生する、使用者の頭部Ｆ内での左右の音響信号の混信を防止することができるようになるため、使用者の音場感覚の低下を防止することができるようになる。
【００４４】
さらに、信号処理装置５０は、前側、後側の音響信号の低周波成分を強調する低域強調回路１２、１３を有している。骨伝導スピーカ３，４から発せられた振動は、低周波領域において使用者の頭部Ｆにおける伝達特性が良好であるため、低周波成分を強調すれば、骨伝導スピーカ３、４から発せられる振動が、聴覚器官で「音」としてより認識されやすくなる。
【００４５】
さらに、信号処理装置５０は、２チャンネルのステレオ信号から４チャンネルの音響信号を生成し、各チャンネルの音響信号を対応する各骨伝導スピーカ１〜４に出力する。より具体的には、信号処理装置５０は、２チャンネルのステレオ信号としての右ステレオ信号と左ステレオ信号とを、骨伝導スピーカ１、２への音響信号として出力するとともに、周波数／位相補正回路１０、１１においてステレオ信号の周波数位相特性を補正することにより、前側、後側の音響信号を生成して骨伝導スピーカ３、４に出力している。このようにすれば、本来の２チャンネルのステレオ信号である左右の音響信号と、そのステレオ信号の周波数位相特性を補正することにより生成された前側、後側の音響信号とが、対応する両耳、前頭部、後頭部に当接する骨伝導スピーカ１〜４に出力されるようになり、四方から、各音響信号に相当する振動を使用者の聴覚器官に伝達することができるようになるので、使用者が立体的な音場を体感することができる。
【００４６】
もっとも、骨伝導スピーカ１〜４に入力される４チャンネルの音響信号は、２チャンネルのステレオ信号から生成されたものである必要はなく、もともと４チャンネルの音響信号として生成された、いわゆる４チャンネルのサラウンド信号であってもよい。この場合、信号処理装置５０は、この４チャンネルの音響信号を、上位装置から入力し、４チャンネルの音響信号のうち、左右の音響信号については、頭部伝達特性補正回路６、７及び加算器８，９による補正を行ったうえで骨伝導スピーカ１、２に出力し、前後の音響信号については、低域強調回路１２、１３を用いて低周波成分を強調した後で骨伝導スピーカ３、４に出力するようにすればよい。
【００４７】
骨伝導ヘッドホン装置１００は小型軽量であるため、使用者は、手軽に立体的な音場を得ることができるようになる。また、この骨伝導ヘッドホン装置１００は、使用者の頭部Ｆを、４つの骨伝導スピーカ１〜４で、四方から囲むように当接するので、頭部Ｆへの装着性も良好なものとなる。また、本実施の形態に係る骨伝導ヘッドホン装置１００によれば、使用者の頭部Ｆ内での左右の音響信号の混信を防止するなどの措置が取られているので、左右の音響信号を広帯域なものとすることができ、その周波数特性を良好なものとすることができる。このように、本実施の形態に係る骨伝導ヘッドホン装置を用いれば、使用者は、極めて手軽に、立体的かつ良質な音場で、音楽などを楽しむことができるようになる。
【００４８】
なお、本実施の形態に係る骨伝導ヘッドホン装置１００が有する骨伝導スピーカの数は４つであったが、４つ以上であってもよいのは勿論である。
【図面の簡単な説明】
【００４９】
【図１】図１（Ａ）は、本発明の実施の形態に係る骨伝導ヘッドホン装置の正面図であり、図１（Ｂ）は、その骨伝導ヘッドホン装置の側面図であり、図１（Ｃ）は、その骨伝導ヘッドホン装置の上面図である。
【図２】信号処理装置の内部ブロック図である。
【符号の説明】
【００５０】
１〜４  骨伝導スピーカ
５  スピーカ支持バンド
６、７  頭部伝達特性補正回路
８、９  加算器
１０、１１  周波数／位相補正回路
１２、１３  低域強調回路
５０  信号処理回路
１００  骨伝導ヘッドホン装置
【図１】
2009049844.tif 000003
【図２】
2009049844.tif 000004